【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
外部の衝撃に反応し交流電荷を発生する圧電素子ユニットと、発生した電荷を整流および充電を行う蓄電回路と、蓄電した電力で動作し蓄電電圧が予め設定した電圧になると外部に信号を出力する電圧検知回路とで構成される衝撃検知センサと、
前記外部信号によりスタンバイ状態から復帰し動作するスタンバイ制御の対象部と、
前記スタンバイ制御の対象部に電力を供給する電源とを具備し、
前記スタンバイ制御の対象部は、前記圧電素子ユニットにより検知した衝撃の信号をトリガーとして前記スタンバイ状態から復帰し、前記衝撃検知センサから出力される信号の時間的長さを測定することにより、衝撃の強さの測定を行うことを特徴とする衝撃検知用センサノード。
【請求項２】
請求項１に記載の衝撃検知用センサノードにおいて、
前記圧電素子ユニットにより衝撃を検知するまで、前記衝撃検知センサおよび前記スタンバイ制御の対象部は、スタンバイ状態にあることを特徴とする衝撃検知用センサノード。
【請求項３】
請求項１又は２に記載の衝撃検知用センサノードにおいて、
前記圧電素子ユニットは、平板状の圧電素子部材と、前記圧電素子部材の一方の端部を固定する台座と、前記圧電素子部材他方の端部を自由端とし、前記自由端の端部に設置された錘とを具備してなり、前記台座に衝撃が加わることにより前記圧電素子部材が変形し電荷を発生することを特徴とする衝撃検知用センサノード。
【請求項４】
請求項１乃至３の何れかに記載の衝撃検知用センサノードにおいて、
前記スタンバイ制御の対象部は、前記圧電素子ユニットにより検知した衝撃の信号をトリガーとして、環境に偏在する周囲情報をセンシングするセンサと、前記センサにより取得したセンシング情報を処理するマイコンと、前記マイコンにより処理されたセンシング情報を無線送信する無線回路と、を有することを特徴とする衝撃検知用センサノード。
【請求項５】
外部の衝撃に反応し交流電荷を発生する圧電素子ユニットと、発生した電荷を整流および充電する蓄電回路と、前記蓄電回路の蓄電電圧と基準電圧とを比較し基準電圧を越えると外部に信号を出力する電圧比較回路とで構成される衝撃検知センサと、
前記外部信号によりスタンバイ状態から復帰し動作するスタンバイ制御の対象部と、
前記電圧比較回路および前記スタンバイ制御の対象部に電力を供給する電源とを具備し、
前記スタンバイ制御の対象部は、前記圧電素子ユニットにより検知した衝撃の信号をトリガーとして前記スタンバイ状態から復帰し、前記衝撃検知センサから出力される信号の時間的長さを測定することにより、衝撃の強さの測定を行うことを特徴とする衝撃検知用センサノード。
【請求項６】
請求項５に記載の衝撃検知用センサノードにおいて、
前記圧電素子ユニットにより衝撃を検知するまで、前記衝撃検知センサおよび前記スタンバイ制御の対象部は、スタンバイ状態にあることを特徴とする衝撃検知用センサノード。
【請求項７】
請求項５又は６に記載の衝撃検知用センサノードにおいて、
前記圧電素子ユニットは、平板状の圧電素子部材と、前記圧電素子部材の一方の端部を固定する台座と、前記圧電素子部材他方の端部を自由端とし、前記自由端の端部に設置された錘とを具備してなり、前記台座に衝撃が加わることにより前記圧電素子部材が変形し電荷を発生することを特徴とする衝撃検知用センサノード。
【請求項８】
請求項５乃至７の何れかに記載の衝撃検知用センサノードにおいて、
前記スタンバイ制御の対象部は、前記圧電素子ユニットにより検知した衝撃の信号をトリガーとして、環境に偏在する周囲情報をセンシングするセンサと、前記センサにより取得したセンシング情報を処理するマイコンと、前記マイコンにより処理されたセンシング情報を無線送信する無線回路と、を有することを特徴とする衝撃検知用センサノード。
【請求項９】
外部の衝撃に対応し交流電荷を発生する圧電素子ユニットと、発生した電荷に対応する電圧と予め設定した基準電圧とを比較し、前記基準電圧を越えると外部に信号を出力する電圧比較回路とで構成される衝撃検知センサと、
前記外部信号によりスタンバイ状態から復帰し動作するスタンバイ制御の対象部と、
前記電圧比較回路および前記スタンバイ制御の対象部に電力を供給する電源とを具備し、
前記スタンバイ制御の対象部は、前記圧電素子ユニットにより検知した衝撃の信号をトリガーとして前記スタンバイ状態から復帰し、前記衝撃検知センサから出力される信号の回数を測定することにより、衝撃の強さの測定を行うことを特徴とする衝撃検知用センサノード。
【請求項１０】
請求項９に記載の衝撃検知用センサノードにおいて、
前記圧電素子ユニットにより衝撃を検知するまで、前記衝撃検知センサおよび前記スタンバイ制御の対象部は、スタンバイ状態にあることを特徴とする衝撃検知用センサノード。
【請求項１１】
請求項９又は１０に記載の衝撃検知用センサノードにおいて、
前記圧電素子ユニットは、平板状の圧電素子部材と、前記圧電素子部材の一方の端部を固定する台座と、前記圧電素子部材他方の端部を自由端とし、前記自由端の端部に設置された錘とを具備してなり、前記台座に衝撃が加わることにより前記圧電素子部材が変形し電荷を発生することを特徴とする衝撃検知用センサノード。
【請求項１２】
請求項９乃至１１の何れかに記載の衝撃検知用センサノードにおいて、
前記スタンバイ制御の対象部は、前記圧電素子ユニットにより検知した衝撃の信号をトリガーとして、環境に偏在する周囲情報をセンシングするセンサと、前記センサにより取得したセンシング情報を処理するマイコンと、前記マイコンにより処理されたセンシング情報を無線送信する無線回路と、を有することを特徴とする衝撃検知用センサノード。
【請求項１３】
衝撃検知用センサノードと、前記衝撃検知用センサノードから情報を受信する基地局と、ネットワークを介して前記基地局から情報を受信するシステム制御装置と、を有し、
前記衝撃検知用センサノードは、外部の衝撃に反応し交流電荷を発生する圧電素子ユニットと、発生した電荷を整流および充電を行う蓄電回路と、蓄電した電力で動作し蓄電電圧が予め設定した電圧になると外部に信号を出力する電圧検知回路とで構成される衝撃検知センサと、前記外部信号によりスタンバイ状態から復帰し動作するスタンバイ制御の対象部と、前記スタンバイ制御の対象部に電力を供給する電源とを具備し、
前記スタンバイ制御の対象部は、前記圧電素子ユニットにより検知した衝撃の信号をトリガーとして前記スタンバイ状態から復帰し、前記衝撃検知センサから出力される信号の時間的長さを測定することにより衝撃の強さの測定を行うことを特徴とする衝撃検知用センサネットワークシステム。
【請求項１４】
衝撃検知用センサノードと、前記衝撃検知用センサノードから情報を受信する基地局と、ネットワークを介して前記基地局から情報を受信するシステム制御装置と、を有し、
前記衝撃検知用センサノードは、外部の衝撃に反応し交流電荷を発生する圧電素子ユニットと、発生した電荷を整流および充電する蓄電回路と、前記蓄電回路の蓄電電圧と基準電圧とを比較し基準電圧を越えると外部に信号を出力する電圧比較回路とで構成される衝撃検知センサと、前記外部信号によりスタンバイ状態から復帰し動作するスタンバイ制御の対象部と、前記電圧比較回路および前記スタンバイ制御の対象部に電力を供給する電源とを具備し、
前記スタンバイ制御の対象部は、前記圧電素子ユニットにより検知した衝撃の信号をトリガーとして前記スタンバイ状態から復帰し、前記衝撃検知センサから出力される信号の時間的長さを測定することにより、衝撃の強さの測定を行うことを特徴とする衝撃検知用センサネットワークシステム。
【請求項１５】
衝撃検知用センサノードと、前記衝撃検知用センサノードから情報を受信する基地局と、ネットワークを介して前記基地局から情報を受信するシステム制御装置と、を有し、
前記衝撃検知用センサノードは、外部の衝撃に対応し交流電荷を発生する圧電素子ユニットと、発生した電荷に対応する電圧と予め設定した基準電圧とを比較し、前記基準電圧を越えると外部に信号を出力する電圧比較回路とで構成される衝撃検知センサと、前記外部信号によりスタンバイ状態から復帰し動作するスタンバイ制御の対象部と、前記電圧比較回路および前記スタンバイ制御の対象部に電力を供給する電源とを具備し、
前記スタンバイ制御の対象部は、前記圧電素子ユニットにより検知した衝撃の信号をトリガーとして前記スタンバイ状態から復帰し、前記衝撃検知センサから出力される信号の回数を測定することにより、衝撃の強さの測定を行うことを特微とする衝撃検知用センサネットワークシステム。
【手続補正２】
【補正対象書類名】明細書
【補正対象項目名】発明の名称
【補正方法】変更
【補正の内容】
【発明の名称】衝撃検知用センサノード、及び衝撃検知用センサネットワークシステム